(57)【要約】【課題】アロマ式回転灯籠において、回転筒を回転させつつ、エッセンシャルオイルの受け皿をも加熱させることができるようなアロマ式回転灯籠を提供する。【解決手段】ベース２の上に外気流入口を有するように設けられた外装体４と、当該外装体４の内部に設けられた発熱発光体と、当該発熱発光体の熱による上昇気流によって回転する回転体５と、当該回転体５の上方に所定の空気保留部を設けるとともに、外装体４との間に所定の隙間Ｓ２をもって設けられる頭部外装体６と、当該頭部外装体６の上部に設けられ、エッセンシャルオイルを受ける受け皿６２とを設けるようにする。【選択図】図１
0003163482.tif 000002
【実用新案登録請求の範囲】
【請求項１】
ベースの上に外気流入口を有するように設けられた外装体と、
当該外装体の内部に設けられた発熱発光体の熱による上昇気流によって回転する回転体と、
当該回転体の上方に所定の空気保留部を有するようにするとともに、外装体との間に所定の隙間をもって設けられる頭部外装体と、
当該頭部外装体の上部に設けられ、エッセンシャルオイルを受ける受け皿と、
を設けたことを特徴とするアロマ式回転灯籠。
【請求項２】
頭部外装体と外装体との隙間を、外装体の上端部の側方に設けた請求項１に記載のアロマ式回転灯籠。
【考案の詳細な説明】
【技術分野】
【０００１】
本考案は、電球の熱を利用した回転灯籠に関するものであり、より詳しくは、電球の熱を利用して回転体を回転させるとともに、その電球の熱を利用してエッセンシャルオイルの受け皿を加熱させるようにしたアロマ式回転灯籠に関するものである。
【背景技術】
【０００２】
日本では、古来より、電球や蝋燭の熱などを利用して回転筒を回転させるようにした回転灯籠が知られている。この回転灯籠は、電球を囲むように設けられた回転筒と、その回転筒の外側に設けられた外装体とを有してなるもので、その電球の熱による上昇気流を回転筒の羽根板に当てることによって、回転筒を回転させ、その回転筒の側面に設けられた透かし模様を外装体に映し出させるようにしたものである。
【０００３】
ところで、近年では、このような日本古来の回転灯籠に対して、更に、エッセンシャルオイルを加熱させるような機能を備えたものも提案されている。
【０００４】
例えば、下記の特許文献１には、図５に示すように、電球８１の熱によって回転する回転筒８２と、その回転筒８２の外側に設けられる外装体８３とを備えてなるアロマ式回転灯籠８０であって、外装体８３の上部に、エッセンシャルオイルを注入する受け皿８４を設けるようにしたアロマ式回転灯籠が提案されている。
【０００５】
このようなアロマ式回転灯籠によれば、電球８１の熱を利用して回転筒８２を回転させるとともに、その電球８１の熱によってエッセンシャルオイルを蒸発させ、その蒸気によるアロマの香りを楽しむことができるようになる。
【先行技術文献】
【特許文献】
【０００６】
【特許文献１】特開２００１−３５２０６号公報
【考案の概要】
【考案が解決しようとする課題】
【０００７】
しかしながら、このようなアロマ式回転灯籠では次のような問題を生じる。
【０００８】
すなわち、上述のようなアロマ式回転灯籠８０では、電球８１や回転筒８２全体を外装体８３で覆い、これによって外装体８３で囲まれた内部空間の温度を上昇させて受け皿８４を加熱させるようにしているが、このような構成では、電球８１や回転筒８２全体が外装体８３で覆われているため、上昇気流を発生させることができず、回転筒８２を回転させることができなくなってしまう。
【０００９】
一方、回転筒８２を回転させるために、受け皿８４の近傍に隙間を形成して上昇気流を発生させるようにすると、受け皿近傍の隙間から熱が逃げてしまい、受け皿８４を加熱させることができなくなってしまう。
【００１０】
そこで、本考案は、上記課題に着目してなされたもので、アロマ式回転灯籠において、回転筒を回転させつつ、エッセンシャルオイルの受け皿をも加熱させることができるようなアロマ式回転灯籠を提供することを目的とする。
【課題を解決するための手段】
【００１１】
すなわち、本考案のアロマ式回転灯籠は、上記課題を解決するために、ベースの上に外気流入口を有するように設けられた外装体と、当該外装体の内部に設けられた発熱発光体の熱による上昇気流によって回転する回転体と、当該回転体の上方に所定の空気保留部を有するようにするとともに、外装体との間に所定の隙間をもって設けられる頭部外装体と、当該頭部外装体の上部に設けられ、エッセンシャルオイルを受ける受け皿とを設けるようにしたものである。
【００１２】
このようにすれば、外装体と頭部外装体との隙間を介して上昇気流を外部に逃がすことができ、これによって回転体を回転させることができるとともに、頭部外装体の内部に暖められた空気を保留させることで受け皿を加熱させ、エッセンシャルオイルを蒸発させることができるようになる。
【００１３】
また、このような考案において、頭部外装体と外装体との隙間を、外装体の上端部の側方に設けるようにする。
【００１４】
このようにすれば、回転体からの上昇気流を頭部外装体の内部の空気保留部に流入させ、そこから頭部外装体の内壁を伝って隙間から排出させることができるため、頭部外装体の温度を高くすることができるとともに、上昇気流の流れをスムーズなものにして回転体を効率よく回転させることができるようになる。
【考案の効果】
【００１５】
本考案では、上記課題を解決するために、ベースの上に外気流入口を有するように設けられた外装体と、当該外装体の内部に設けられた発熱発光体の熱による上昇気流によって回転する回転体と、当該回転体の上方に所定の空気保留部を有するようにするとともに、外装体との間に所定の隙間をもって設けられる頭部外装体と、当該頭部外装体の上部に設けられ、エッセンシャルオイルを受ける受け皿とを設けるようにしたので、外装体と頭部外装体との隙間を介して上昇気流を外部に逃がすことができ、これによって回転体を回転させることができる。また、頭部外装体の内部に暖められた空気を保留させることで受け皿を加熱させ、エッセンシャルオイルを蒸発させることができるようになる。
【図面の簡単な説明】
【００１６】
【図１】本考案の一実施の形態を示すアロマ式回転灯籠の断面概略図
【図２】同形態におけるベースと外装体との取り付け部分を示す斜視図
【図３】同形態における頭部外装体の内側状態と外装体との隙間を示す図
【図４】同形態における上昇気流の流れを示す図
【図５】従来例におけるアロマ式回転灯籠を示す図
【考案を実施するための形態】
【００１７】
以下、本考案の一実施の形態について図面を参照しながら説明する。この実施の形態におけるアロマ式回転灯籠１は、図１に示すように、電球３の熱による上昇気流によって回転体５を回転させ、その外周部に設けられた透かし模様を外装体４から視認できるようにするとともに、その電球３の熱によって頭部外装体６の上部に設けられた受け皿６２を加熱し、これによって受け皿６２のエッセンシャルオイルを蒸発させてアロマを楽しませるようにしたものである。
【００１８】
より具体的には、このアロマ式回転灯籠１は、電球３を保持するベース２と、そのベース２に対して所定の隙間Ｓ１（図２参照）を有するように設けられた筒状の外装体４と、その外装体４の内側に設けられ、電球３の熱による上昇気流によって回転する回転体５とを備えている。そして、特徴的には、その外装体４の上部に、所定の隙間Ｓ２（図３参照）を有するように取り付けられた半球状の頭部外装体６を設け、その頭部外装体６の内側空間（空気保留部）に加熱された空気を保留させるとともに、その熱によって頭部外装体６の上部に設けられた受け皿６２を加熱させるようにしたものである。以下、本考案のアロマ式回転灯籠１について詳細に説明する。
【００１９】
まず、このアロマ式回転灯籠１の土台となるベース２は、床面や机上などの水平面に設置できるようにしたものであって、その上面に水平な載置面２１を設けるとともに、その中央部分に電球ソケット３１を上向きに取り付けるようにしている。そして、その電球ソケット３１から載置面２１の下方を通って側面から電源コード３２を延出させている。また、この載置面２１における電球ソケット３１の近傍には、図２に示すように、一定間隔おきに隙間形成部材４１が取り付けられており、その隙間形成部材４１の上に外装体４を載置して隙間Ｓ１を形成できるようになっている。この隙間形成部材４１としては、例えば、ネオジウム磁石などが用いられ、これに対応して外装体４の下端部分に鉄などの磁性体４２を取り付けて磁着させるようにしている。そして、この隙間形成部材４１の上に外装体４を磁着させることによって、載置面２１と外装体４の隙間Ｓ１から空気を取り込めるようにしている。
【００２０】
この隙間形成部材４１の上に取り付けられる外装体４は、電球３をすべて覆うような中空円筒状をなすものであって、その下端部分にのみ鉄などの磁性体４２を取り付け、そこから上方部分については、無色透明な樹脂あるいはガラス素材で構成している。そして、このように無色透明な樹脂やガラス素材で構成することによって、その内部に設けられた回転体５を視認できるようにしている。なお、ここでは、外装体４を無色透明な素材で構成するようにしているが、回転体５の模様を外装体４の表面に映し出させる場合は、すりガラスや乳白色系の樹脂素材で構成するようにしてもよい。
【００２１】
この外装体４の内側に設けられる回転体５は、電球３の熱による上昇気流によって回転させるようにしたものであって、電球３の頭部に取り付けられる針状体５１に載置され、その針状体５１の上端部分を中心に回転できるようになっている。この回転体５は、従来の回転灯籠の回転体５と同様に、外周部分に透かし模様を有するとともに、上面部分に羽根板５２を設けており、この羽根板５２に電球３からの上昇気流を当てることによって回転させるようになっている。また、針状体５１の先端部分については、可能な限り回転体５をスムーズに回転させるように、先端部分にボールペンの先端部分を取り付け、これによって殆ど摩擦抵抗がない状態で回転できるようにしている。
【００２２】
一方、この外装体４の上部に取り付けられる頭部外装体６は、半球状に構成されるものであって、その半球状をなす内側空間である空気保留部に電球３からの熱を貯め込むとともに、電球３からの空気を内側壁面に沿って、外装体４の上端部側方の隙間Ｓ２を介して排出させるようにしている。この頭部外装体６の下端部分は、図３に示すように、外装体４よりも外径を大きくしており、その外周部分から内側に向けて間欠的に突出片６１を延出させ、外装体４の上部に引っ掛けるように載置させるようになっている。この頭部外装体６は、装飾性を持たせるように美濃焼などの陶器で構成されており、これによって高級感を持たせるようにしている。
【００２３】
また、この頭部外装体６の上端部に取り付けられる受け皿６２は、頭部外装体６の上端部に設けられた穴部に嵌め込まれるものであって、そこにエッセンシャルオイルを注入できるようになっている。この穴部に嵌め込まれた受け皿６２は、頭部外装体６の内部に貯め込まれた熱い気体によって加熱され、エッセンシャルオイルを蒸発させることができるようになっている。
【００２４】
次に、このように構成されたアロマ式回転灯籠１の作用について説明する。
【００２５】
まず、アロマ式回転灯籠１の電球３を点灯させると、図４に示すように、その電球３による熱によって周囲の空気が加熱され、上昇気流が発生する。この上昇気流は上方に上がって回転体５の羽根板５２に当たり、回転体５を回転させる推力を与える。また、この上昇気流によって、電球３下方の隙間Ｓ１から新たな空気を取り込み、同様に、電球３の熱によって加熱・上昇させる。
【００２６】
このように加熱された気体は、羽根板５２に当たって更に上方へと上昇していく。すると、その上昇気流は半球状をなす頭部外装体６の上端部分まで達し、そこから壁面に沿って下降していく。このとき、その気体は頭部外装体６の壁面に沿って流れていくため、壁面へ熱を放出しながら（すなわち、気体が冷却されながら）下降していく。そして、その下降した空気が、頭部外装体６の下端部分に設けられた隙間Ｓ２を介して外部へと排出されていく。
【００２７】
すなわち、ベース２と外装体４の隙間Ｓ１から取り入れられた空気は、電球３を伝って回転体５の羽根板５２に当たり、そこから、頭部外装体６の上端部分および壁面を介して外部へと排出されるので、一連の流体の流れを形成することができ、これによって回転体５を回転させることができるようになる。しかも、加熱された気体は頭部外装体６で熱を放出し、そこで受け皿６２を加熱させることができるので、エッセンシャルオイルをゆっくりと蒸発させることができるようになる。
【００２８】
このように上記実施の形態によれば、ベース２の上に隙間Ｓ１を有するように設けられた外装体４と、当該外装体４の内部に設けられた電球３の熱による上昇気流によって回転する回転体５と、当該回転体５の上方に半球状の空間を設けるとともに、外装体４との間に所定の隙間Ｓ２をもって設けられる頭部外装体６と、当該頭部外装体６の上部に設けられ、エッセンシャルオイルを受ける受け皿６２とを設けるようにしたので、外装体４と頭部外装体６との隙間Ｓ２を介して上昇気流を外部に逃がすことができ、これによって回転体５を回転させることができるとともに、頭部外装体６の内部に暖められた空気を保留させることで受け皿６２を加熱させ、エッセンシャルオイルを蒸発させることができるようになる。
【００２９】
また、その外装体４と頭部外装体６との隙間Ｓ２を、外装体４の上端部の側方に設けるようにしたので、頭部外装体６の内部に熱を貯め込むことができるとともに、回転体５からの上昇気流の流れを邪魔することなく、空気を外部に排出することができるようになる。
【００３０】
なお、本考案は上記実施の形態に限定されることなく、種々の態様で実施することができる。
【００３１】
例えば、上記実施の形態では、外装体４として円筒形状をなすものを用いて説明したが、四角形状あるいは多角形状をなすものであってもよい。
【００３２】
また、上記実施の形態では、ベース２と外装体４との間に隙間形成部材４１を設けて、そこから空気を取り入れるようにしたが、ベース２に穴を開けて、そこから空気を取り入れるようにしてもよい。
【００３３】
さらに、上記実施の形態では、外装体４と頭部外装体６との間に隙間Ｓ２を形成して空気を外部に排出させるようにしたが、頭部外装体６に穴を設けて、そこから空気を外部に排出させるようにしてもよい。ただし、この場合は、頭部外装体６に加熱された空気を貯留させるための空間を形成させておくようにする。
【００３４】
また、上記実施の形態では、頭部外装体６に貯め込まれる空気の熱によって受け皿６２を加熱させるようにしたが、この受け皿６２や頭部外装体６を熱伝導性の高い金属素材で構成し、電球３からの熱伝導や加熱気体からの熱伝導によって受け皿６２を加熱させるようにしてもよい。
【００３５】
また、上記実施の形態では、発熱発光体の例として電球３を用いて説明したが、電球以外に蝋燭などのような発熱発光体で構成してもよい。
【符号の説明】
【００３６】
１・・・アロマ式回転灯籠
２・・・ベース
２１・・・載置面
３・・・電球
３１・・・電球ソケット
３２・・・電源コード
４・・・外装体
４１・・・隙間形成部材
４２・・・磁性体
５・・・回転体
５１・・・針状体
５２・・・羽根板
６・・・頭部外装体
６１・・・突出片
６２・・・受け皿
Ｓ１・・・隙間
Ｓ２・・・隙間
【図１】
0003163482.tif 000003
【図２】
0003163482.tif 000004
【図３】
0003163482.tif 000005
【図４】
0003163482.tif 000006
【図５】
0003163482.tif 000007